(57)【要約】【課題】  情報記憶装置に関し、耐用性および信頼性の高い記憶媒体装置を提供する。【解決手段】  情報を記憶する情報記憶媒体に対して情報アクセスを行うヘッドが搭載されたスライダと、上記スライダを保持して上記ヘッドを上記情報記憶媒体の表面に接触あるいは近接させるアームと、上記アームに固着されて少なくとも一部が上記情報記憶媒体の表面に対向したタブと、上記アームを回動させることによって、そのアームが保持するスライダを上記情報記憶媒体の表面上に沿って移動させる、そのスライダの移動範囲が、その情報記憶媒体から外れた待避位置に及ぶアクチュエータと、上記アクチュエータによる上記アームの回動によって上記スライダが上記待避位置に移動するときに、上記タブの、上記情報記憶媒体の表面に対向した部分と当接し、そのスライダを、その情報記憶媒体の表面から離間する方向へと移動させる、そのタブの材料と同じ材料からなるランプとを備える。【選択図】        図２
2006209901.tif 000002
【特許請求の範囲】
【請求項１】
情報を記憶する情報記憶媒体に対して情報アクセスを行うヘッドが搭載されたスライダと、
前記スライダを保持して前記ヘッドを前記情報記憶媒体の表面に接触あるいは近接させるアームと、
前記アームに固着されて少なくとも一部が前記情報記憶媒体の表面に対向したタブと、
前記アームを回動させることによって、該アームが保持するスライダを前記情報記憶媒体の表面に沿って移動させる、該スライダの移動範囲が、該情報記憶媒体から外れた待避位置に及ぶアクチュエータと、
前記アクチュエータによる前記アームの回動によって前記スライダが前記待避位置に移動するときに、前記タブの、前記情報記憶媒体の表面に対向した部分と当接し、該スライダを、該情報記憶媒体の表面から離間する方向へと移動させる、該タブの材料と同じ材料からなるランプ部材とを備えたことを特徴とする情報記憶装置。
【請求項２】
前記アームが、前記情報記憶媒体の表面に沿う方向に伸びた突起を有するものであり、
前記タブが、前記アームの突起を包み込んだものであることを特徴とする請求項１記載の情報記憶装置。
【請求項３】
前記アームが、前記情報記憶媒体の表面に対向する位置にあなが空いているものであり、
前記タブが、前記アームのあなに嵌り込んだものであることを特徴とする請求項１記載の情報記憶装置。
【発明の詳細な説明】
【技術分野】
【０００１】
本発明は、情報を記憶する情報記憶媒体を用いた情報記憶装置に関する。
【背景技術】
【０００２】
情報記憶媒体に情報を記憶する情報記憶装置の一例として、従来より、磁気ディスク装置が知られており、この磁気ディスク装置は、情報記憶媒体として磁気ディスクを備え、高速回転する磁気ディスクの表面に磁気ヘッドを近接させて情報の記録や再生を行うものである。
【０００３】
この磁気ディスク装置では、磁気ディスクの表面に浮上して表面上をスライドするスライダに磁気ヘッドが搭載されているが、磁気ディスク装置が停止状態や休止状態にあって磁気ディスクの回転が停止しているときにスライダが磁気ディスク上に存在していると、磁気ディスク装置が起動されて磁気ディスクの回転が再開するときに、スライダや磁気ヘッドが磁気ディスクに衝突して磁気ディスクや磁気ヘッドが損傷するヘッドクラッシュ障害が生じる恐れがある。このため、磁気ディスクの回転停止中にはスライダを磁気ディスクの外側の待避位置までに待避（アンロード）させ、磁気ディスクの回転が再開したときにスライダを磁気ディスク上に復帰（ロード）させるロードアンロード機構が考案されている。
【０００４】
また、このようなロードアンロード機構では、スライダが待避位置にある時に、スライダの位置が磁気ディスク表面から遠ざけられており、装置に掛かる振動などによって偶発的にスライダが磁気ディスクに衝突してしまうような事態が防止されている。スライダを磁気ディスクから遠ざけるための方式としては、磁気ディスク表面に対して傾いた斜路（ランプロード）を用いるランプロード式が知られており、そのランプロード式が採用されたランプロード式磁気ディスク装置の開発が従来から行われている（例えば、特許文献１、特許文献２参照。）。
【０００５】
図９は、従来のランプロード式磁気ディスク装置の概略的平面図である。このランプロード式磁気ディスク装置９１には、構成部品を支持するベースプレート９２に固定されたスピンドルモータ９４に磁気ディスク９３が取り付けられており、スピンドルモータ９４によって磁気ディスク９３が所定の回転速度で回転駆動される。磁気ディスク９３に記録された磁気情報を読み書きする磁気ヘッドを搭載したスライダ９５は、サスペンション９６に取り付けられ支持されている。
【０００６】
このサスペンション９６はキャリッジ９７によって保持されており、サスペンション９６、キャリッジ９７の組立体からなるアーム９８が、アームアクチュエータ９９によって、ヘッドの待避方向或いは、ヘッドの復帰方向へ回動される。サスペンション９６の先端には、ステンレス製のタブ１００が取り付けられており、スライダ９５の待避時には、このタブ１００が樹脂製のランプ部材１０１と摺動することにより、アーム９８に保持されたスライダ９５が磁気ディスク９３の表面から遠ざけられる。
【特許文献１】特開平７−２１０８４５（８頁、第１図）
【特許文献２】特開平１４―３６７３１３（１０頁、第１１図）
【発明の開示】
【発明が解決しようとする課題】
【０００７】
このような従来のランプロード式磁気ディスク装置においては、ランプロードとタブとの摺動によってランプロードが摩耗すると、待避位置から磁気ディスク上にスライダが復帰する際にアームが振動してヘッドクラッシュの原因となったり、摩耗で生じる摩耗紛が磁気ヘッドやスライダに付着してスライダの浮上姿勢の乱れを生じて記録再生の不能や磁気ディスクの損傷を引き起こすこととなる。このため、そのような摩耗を抑えることによって磁気ディスク装置の安定な動作を長時間保持し、耐用性および信頼性が高い磁気ディスク装置を実現することが課題となっている。
【０００８】
なお、このような課題は磁気ディスク装置に固有の課題ではなく、情報記憶媒体にヘッドをスライダで近接または接触させるタイプの情報記憶装置に共通する課題である。
【０００９】
本発明は上記事情に鑑み、耐用性および信頼性が高い情報記憶装置を提供することを目的とする。
【課題を解決するための手段】
【００１０】
上記目的を達成する本発明の情報記憶装置は、
情報を記憶する情報記憶媒体に対して情報アクセスを行うヘッドが搭載されたスライダと、
上記スライダを保持して上記ヘッドを上記情報記憶媒体の表面に接触あるいは近接させるアームと、
上記アームに固着されて少なくとも一部が上記情報記憶媒体の表面に対向したタブと、
上記アームを回動させることによって、そのアームが保持するスライダを上記情報記憶媒体の表面上に沿って移動させる、そのスライダの移動範囲が、その情報記憶媒体から外れた待避位置に及ぶアクチュエータと、
上記アクチュエータによる上記アームの回動によって上記スライダが上記待避位置に移動するときに、上記タブの、上記情報記憶媒体の表面に対向した部分と当接し、そのスライダを、その情報記憶媒体の表面から離間する方向へと移動させる、そのタブの材料と同じ材料からなるランプとを備えたことを特徴とする。
【００１１】
本発明によれば、上記ランプと上記タブにおいて同種の材料を用いているため磨耗の発生の抑制が実現される。その結果、上記ランプと上記タブ間の当接が長期に亘ってスムーズに行われるのでスライダの待避や復帰の際のヘッドクラッシュ障害の危険性は長期に亘って回避される。また、磨耗粉の発生も抑制されるので、磨耗粉がヘッドに付着することによって生じる記録再生不能や情報記憶媒体の損傷も長期に亘って回避される。従って、本発明の情報記憶装置は耐用性および信頼性が高い。
【００１２】
本発明の情報記憶装置は、上記アームがその情報記憶媒体の表面に沿う方向に伸びた突起を有しており、上記タブが上記アームの突起を包み込んだ形状であることが好適である。
【００１３】
このような好適な形態の情報記憶装置によれば、上記タブは上記アームに容易かつ精度よく固着されるので、生産手順が単純な工程で済み大量生産が可能である。
【００１４】
本発明の情報記憶装置は、上記アームが、上記情報記憶媒体の表面に対向する位置にあなが空いているものであり、上記タブが、上記アームのあなに嵌り込んだ形状であることも好適である。
【００１５】
ここで「あな」とは、アームを貫通する貫通孔であってもよく、あるいは、アームを貫通しない底のある穴であってもよい。
【００１６】
従って、このような好適な形態の情報記憶装置によれば、上記タブが上記アームのあなに嵌り込む方法で容易かつ精度よく固着されるので、生産手順が単純な工程で済み大量生産が可能である。
【発明の効果】
【００１７】
以上説明したように、本発明の情報記憶装置によれば、耐用性および信頼性が高い記憶媒体装置が得られる。
【発明を実施するための最良の形態】
【００１８】
以下図面を参照して本発明の実施の形態を説明する。
【００１９】
図１は、本発明の情報記憶装置の第１の実施形態であるランプロード式の磁気ディスク装置の概略的平面図である。図２は、この磁気ディスク装置のアーム周辺部を拡大した概略的斜視図である。
【００２０】
図１に示す磁気ディスク装置１は、大型計算機、パーソナルコンピュータなどに接続され、あるいは内蔵されて使用されるものである。
【００２１】
この磁気ディスク装置には、情報記録媒体の一種である磁気ディスク２を回転駆動するためのスピンドルモータ３が、磁気ディスク装置１の構成部品を支持するベースプレート４に装着されている。
磁気ディスク２はスピンドルモータ３の回転軸に取り付けられており、スピンドルモータ３によって所定の回転速度で回転される。一般的には磁気ディスク装置には、用途に応じて１枚から複数枚の磁気ディスクが備えられるが、以下の説明において、本実施形態の磁気ディスク装置１では、スピンドルモータ３の回転軸に２枚の磁気ディスク２が取り付けられているものとして説明する。この図１には、スピンドルモータ３の回転軸に取付けられた１枚目の磁気ディスク２が示されており、この磁気ディスク２の下側（図の奥側）に間隔を置いて、図示しない２枚目の磁気ディスクが取り付けられている。
【００２２】
磁気ディスク２に対して情報記録再生を行う磁気ヘッドを搭載したスライダ５は、サスペンション６によって支持されて磁気ディスク２の表面に近接される。また、サスペンション６は、キャリッジ７に取り付けられている。これらのサスペンション６およびキャリッジ７の部材で組み立てられた結合物からなるアーム８が、２枚の磁気ディスク２それぞれの表裏面の合わせて４つの記録再生面に対応する形で４つ備えられており、それら４つのアーム８の結合物からなるスタックアセンブリ１４は、アーム軸９に取り付けられており、アクチュエータ１０によって回動される。
【００２３】
このアクチュエータ１０がスタックアセンブリ１４を回動させることによってスライダ５は磁気ディスク２の表面に沿って移動する。また、このアクチュエータ１０によるスライダ５の移動範囲は、磁気ディスク２から外れた待避位置に及んでいる。アーム８の先端部にはタブ１１が設けられており、アクチュエータ１０がスライダ５を待避位置に移動させるとこのタブ１１がランプ部材１２上を摺動し、スライダ５は磁気ディスク２表面から押し離される。
【００２４】
ランプ部材１２は、支持部材１３に取り付けられてベースプレート４に装着されている。本実施形態では、２つのランプ部材１２が、２枚の磁気ディスク２それぞれに対応して備えられており、１つのランプ部材１２は、２つのタブ１１が走行できるように、ランプ部材１２の上下に２つの走行路（ランプロード）１５を構成している。
【００２５】
各走行路間は、磁気ディスク２の表面に対して少し傾いており、タブ１１が走行路間を待避位置へと走行することで、スライダ５は磁気ディスク２の表面から遠ざけられる。
【００２６】
ここで、本実施形態に用いられるサスペンション６に対する、従来と同様なサスペンションの比較例について説明する。
【００２７】
図３は、比較例のサスペンションの上面図であり、図４は、このサスペンションの側面図である。このサスペンション３１の先端には、図９に示す従来例と同様にステンレス材からなるサスペンション３１と一体に加工される形でステンレスのタブ３２が備えられている。
【００２８】
このサスペンション３１が、第１の実施形態の磁気ディスク装置におけるサスペンション６に替えて、使用された場合に生じる問題について説明する。
【００２９】
比較例のサスペンション３１に備えられたタブ３２がランプ部材１２上を走行すると、
タブ３２とランプ部材１２との摩擦は、ステンレスと樹脂との摩擦になるため、磨耗の物理的特性としては異種材料同士の摩擦によるアブレシブ磨耗となって大きな磨耗を生じる。
従って、ランプ部材１２とタブ３２との摺動性が悪化することによるヘッドクラッシュ障害や、磨耗粉の発生による記録再生不能障害および磁気ディスク損傷が短期間で生じる恐れがあり、比較例のサスペンション３１が用いられた磁気ディスク装置は耐用性および信頼性が低い。
【００３０】
図５は、本実施形態の磁気ディスク装置におけるアーム８の構成部材であるサスペンション６の上面図であり、図６は、サスペンション６の側面図である。サスペンション６は、スライダの浮上力と釣り合うようにしなるロードビーム１６と、スライダが取り付けられるジンバル１７とを備えており、先端には、磁気ディスクの表面に沿う方向に伸びた突起を有する。サスペンション６の突起に対して、樹脂からなる円柱状のタブ１１が、その突起を包み込む状態で固着されている。このようなタブ１１は簡易な手法による精度のよい作成が可能であるので、大量生産によって安価に実現される。ここで用いられる樹脂としては、摺動性、耐磨耗性、成形性に優れた樹脂が好ましく、例えば、液晶ポリマー等が用いられる。このようなタブ１１がランプ部材１２上の走行路１５を走行すると、タブ１１がランプ部材１２との摩擦が樹脂同士の摩擦になるため、磨耗の物理的特性としては、いわゆる凝着磨耗となる。この凝着磨耗は、異種材料同士の摩擦によって生じるアブレシブ磨耗と比較すると磨耗料が大幅に少ない。従って、本実施形態におけるランプ部材１２の磨耗は著しく低減されており、走行路１５上のタブ１１の走行は長時間安定し、磨耗粉の発生も抑えられている。この結果、本実施形態の磁気ディスク装置１の耐用性および信頼性は高い。
【００３１】
次に、本発明の第２の実施形態について説明をする。この第２の実施形態は、上述した第１の実施形態に対し、サスペンションやタブが異なる点を除いてほぼ同様の実施形態であるので、以下は相違点のみについて説明し、同様な点については重複説明を省略する。
【００３２】
図７は、本発明の第２の実施形態におけるサスペンションの上面図であり、図８は、このサスペンションの側面図である。以下、図７および図８を合わせて説明する。サスペンション７１の先端部には、表裏面を貫通する貫通孔が空いており、樹脂からなるタブ７２が、この貫通孔に嵌り込む状態で固着されている。このようなタブ７２も簡易な手法による精度のよい作成が可能であり、大量生産によって安価に実現される。
【００３３】
この第２の実施形態でも、タブ７２がランプ部材１２上を走行すると、タブ７２とランプ部材１２との摩擦は樹脂同士の摩擦になるため、凝着、磨耗を生じ、アブレシブ磨耗と比較して磨耗量が大幅に少ない。従って、第２の実施形態でもランプ部材１２の磨耗が著しく低減されており、その結果、第１の実施形態と同様に、第２の実施形態の磁気ディスク装置も耐用性および信頼性が高い。
【００３４】
なお、上記説明では、本発明にいうアームの一例として、サスペンションとキャリッジとで組み立てられたアームが示されているが、本発明にいうアームは、一体に形成されたものであってもよい。
【００３５】
また、上記説明では、本発明にいうタブの一例として、アームの表裏両面にタブの一部が存在するように設けられたタブが示されているが、本発明にいうタブは、アームの、情報記憶媒体に対向する側にのみ設けられたものであってもよい。また、上記説明では、アームの先端にタブが設けられた例が示されているが、本発明にいうタブは、アームの途中に設けられたものであってもよい。
【００３６】
また、上記説明では、本発明の磁気ディスク装置に応用された例が示されているが、本発明の情報記憶装置は、スライダ上にレンズなどが搭載されて光によって情報アクセスが行われる光情報記憶装置に応用されてもよい。
【図面の簡単な説明】
【００３７】
【図１】本発明の情報記憶装置の第１の実施形態であるランプロード式磁気ディスク装置の概略的平面図である。
【図２】本発明の情報記憶装置の第１の実施形態であるランプロード式磁気ディスク装置のアーム周辺部を拡大した概略的斜視図である。
【図３】比較例のサスペンションの上面図である。
【図４】比較例のサスペンションの側面図である。
【図５】第１の実施形態におけるサスペンションの上面図である。
【図６】第１の実施形態におけるサスペンションの側面図である。
【図７】本発明の情報記憶装置の第２の実施形態におけるサスペンションの上面図である。
【図８】本発明の情報記憶装置の第２の実施形態におけるサスペンションの側面図である。
【図９】従来のランプロード式磁気ディスク装置の概略的平面図である。
【符号の説明】
【００３８】
１      磁気ディスク装置
２      磁気ディスク
３      スピンドルモータ
４      ベースプレート
５      スライダ
６      サスペンション
７      キャリッジ
８      アーム
９      アーム軸
１０    アクチュエータ
１１    タブ
１２    ランプ部材
１３    支持部材
１４    スタックアセンブリ
１５    走行路
１６    ロードビーム
１７    ジンバル
３１    サスペンション
３２    ステンレス製のタブ
７１    サスペンション
７２    タブ
９１    ランプロード式磁気ディスク装置
９２    ベースプレート
９３    磁気ディスク
９４    スピンドルモータ
９５    スライダ
９６    サスペンション
９７    キャリッジ
９８    アーム
９９    アクチュエータ
１００  タブ
１０１  ランプ部材
【図１】
2006209901.tif 000003
【図２】
2006209901.tif 000004
【図３】
2006209901.tif 000005
【図４】
2006209901.tif 000006
【図５】
2006209901.tif 000007
【図６】
2006209901.tif 000008
【図７】
2006209901.tif 000009
【図８】
2006209901.tif 000010
【図９】
2006209901.tif 000011